(57)【要約】【課題】単一の回転ディスクにより、複数の異径コインを送出可能とすることができる。【解決手段】コイン送出装置の回転ディスクが有する複数のコイン受け孔を外周方向に開口させ、コイン受け孔の各々の中に回転方向に沿って突出する顎部を設け、顎部の各々が、コイン受け孔が受け入れた最下段のコインの上に載った他のコインを回転ディスクの回転に伴い環状容器の内側方向へ押出可能な形状に形成する。顎部の働きによりコイン出口におけるコイン詰まりをなくすことができる。よって、大径コイン用の回転ディスクを使って小径コインを送出可能、すなわち、複数の異径コインを送出可能となる。【選択図】      図１
2004280770.tif 000002
【特許請求の範囲】
【請求項１】
収納したバラ状態のコインを落下供給可能なホッパーと、
基板上面に設けた環状容器と、
当該環状容器内で当該環状容器と同心的に回転する回転ディスクと、
当該回転ディスクの厚み方向に貫通し外周方向に開口する複数のコイン受け孔と、
当該回転ディスクの回転に伴い移動する最下段のコインを、当該コインと当接して当該環状容器に開口したコイン出口の方向へ転換させるために当該基板上面から突出する規制部材と、
当該規制部材との接触回避のために当該回転ディスク裏面に形成した回避溝と、を備えており、
当該回転ディスクには、当該コイン受け孔の各々の中に回転方向に沿って突出する顎部を設けてあり、
当該顎部の各々が、当該コイン受け孔が受け入れた最下段のコインの上に載った他のコインを当該回転ディスクの回転に伴い当該環状容器の内側方向へ押出可能な形状に形成してある
ことを特徴とするコイン送出装置。
【請求項２】
前記顎部の前記基板側の面と当該基板上面との間が、コイン１枚が通過可能な寸法に形成してある
ことを特徴とする請求項１に記載したコイン送出装置。
【請求項３】
前記顎部が、前記回転ディスクの回転方向に向かって先細りする楔形状に形成してある
ことを特徴とする請求項１または２に記載したコイン送出装置。
【請求項４】
請求項１ないし３の何れかに記載したコイン送出装置に使用可能な回転ディスク。
【発明の詳細な説明】
【０００１】
【発明の属する技術分野】
この発明は、バラ状態にあるコインを一枚ずつ送り出すためのコイン送出装置に関するものである。
【０００２】
【従来の技術】
コイン送出装置には、本出願人が開発した装置（以下、「従来装置」という）がある。図１１ないし１３に示す従来装置１０１は、収納したバラ状態のコインを落下供給可能なホッパー１０２と、基板１０３上面に設けた環状容器１０４と、この環状容器１０４内でこの環状容器１０４と同心的に回転する回転ディスク１０５を備えている。回転ディスク１０５の厚み方向に貫通する複数のコイン受け孔１０６，・・と、を備え、回転ディスク１０５の回転に伴いコインを送るようになっている。回転ディスク１０５に送られたコインＣ１は、基板１０３上面から突出する規制部材１０７（図１２、１３参照）と当接して方向転換させられ、さらなる送りにより環状容器１０４に開口したコイン出口１０８から外部へ送出されるようになっている（特許文献１参照）。なお、本明細書におけるコインとは、硬貨、メダル、トークンまたはこれらに準ずる円盤状のものの総称である。
【０００３】
【特許文献１】
特許第３１５８２７０号掲載公報（段落００１３〜００１９）
【０００４】
【発明が解決しようとする課題】
上記の従来装置は良好に動作するのであるが、次の点で改良が望まれていた。それは、一種類の回転ディスクで複数の異径コインを送出可能とする点である。送出しようとするコインには、様々の径や厚みのものがあり、これまでは、各々の径や厚みに応じた回転ディスクを使用していた。径の大きいコイン（大径コイン）の厚みは、一般にそれより径の小さいコイン（中径コイン、小径コイン）の厚みより厚いので、大径コインを送出可能な回転ディスクであれば、中径コインや小径コインをも送出可能なようにも思える。すなわち、大は小を兼ねる、という発想である。しかし、大径コイン用の回転ディスクを用いて中径コインや小径コインを送出しようとすると、大径コインの厚みであれば生じないような噛みこみが、それより薄い中径コインや小径コインだと生じてしまう場合がある。たとえば、５００円硬貨（直径２６．５ｍｍ）用に製造した回転ディスクで１円硬貨（直径２０ｍｍ）を送出しようとした場合を考える。前者の厚みは１．８ｍｍであり、後者の厚みは１．５ｍｍであるから、寸法的には送出が可能である。しかし、１円硬貨が５００円硬貨よりも小さいため、図１１および１３に示すように基板上にある１円硬貨Ｃ１の上に他の１円硬貨Ｃ２が斜めに載り、これらの厚みが比較的薄いことと相俟って基板１０３と回転ディスク１０５との間に楔のように入り込んで噛みこんでしまうことがあった。そこで、このような噛みこみを避けるため、従来装置では、寸法が相異なる複数種の回転ディスクを用意しておき、その中から送出しようとするコインに合ったものを選択して使用していた。しかしながら、複数種の回転ディスクを用意しておくことは、製造の点でも在庫保管の点でも極めて煩雑であり、さらに、コストの点でも不利であった。これを改善することが、従来装置に望まれていた改良点である。
【０００５】
上記の改良を行うために発明者は、まず最大径のコインを送出可能な回転ディスクのコイン受け孔を外周方向に開口させた（図１４（ａ）参照）。開口させてあれば、図１１および１３に示すような基板１０３と回転ディスク１０５との間の噛みこみ可能な隙間がなくなるので、噛みこみが防げると考えたからである。しかし、その結果、図１４（ｂ）に示すように、コイン出口１０８′のところで斜めに重なったコインが噛みこんでしまうという新たな問題が発生した。この噛みこみは、基板１０３′上にあるコインＣ′１と、その上に載ったコインＣ′２とが、同時にコイン出口１０８′の方向に進むために生じるのである。
【０００６】
本発明が解決しようとする課題は、上記の問題を解決することにより、複数の異径コインを単一の回転ディスクにより送出可能とするコイン送出装置およびそのようなコイン送出装置に使用可能な回転ディスクを提供することにある。
【０００７】
【課題を解決するための手段】
上述した課題を解決するために試行錯誤を重ねた発明者は、上に載ったコインを強制的に排除する手段を回転ディスクに設けることによりコインの噛みこみを防止して異径コインを単一の回転ディスクにより送出可能とすることに成功した。その詳しい内容については、項を改めて説明する。なお、何れかの請求項にかかる発明の説明に当たって行う用語の定義等は、その性質上可能な範囲において他の請求項にかかる発明にも適用されるものとする。
【０００８】
（請求項１の発明の特徴）
請求項１記載のコイン送出装置は、収納したバラ状態のコインを落下供給可能なホッパーと、基板上面に設けた環状容器と、当該環状容器内で当該環状容器と同心的に回転する回転ディスクと、当該回転ディスクの厚み方向に貫通し外周方向に開口する複数のコイン受け孔と、当該回転ディスクの回転に伴い移動する最下段のコインを、当該コインと当接して当該環状容器に開口したコイン出口の方向へ転換させるために当該基板上面から突出する規制部材と、当該規制部材との接触回避のために当該回転ディスク裏面に形成した回避溝と、を備えている。当該回転ディスクには、当該コイン受け孔の各々の中に回転方向に沿って突出する顎部を設けてあり、当該顎部の各々が、当該コイン受け孔が受け入れた最下段のコインの上に載った他のコインを当該回転ディスクの回転に伴い当該環状容器の内側方向へ押出可能な形状に形成してある。顎部は、回転ディスクと一体に形成してもよいし、別体のものを回転ディスクに固定することにより形成してもよい。
【０００９】
請求項１記載のコイン送出装置によれば、バラ状態でホッパーに収納されたコインが、環状容器内の回転ディスク上に供給される。供給されたコインは、回転ディスクの回転により攪拌され均されてコイン受け孔に受け入れられ、やがて基板上面上に横向きに載る。この間も回転ディスクは回転している。基板上面上に載ったコインは、回転ディスクの回転に伴い基板上面上を移動する。規制部材は、移動してきた最下段のコインと当接して、そのコインをコイン出口方向に方向転換させる。方向転換したコインは、さらなる回転ディスクの回転によりコイン出口方向に進み、やがて、開口を抜けて外部へ放出される。回避溝が規制部材との接触を回避するので、回転ディスクの回転が規制部材に邪魔されることはない。他方、最下段のコインの上に載った他のコインがある場合は、最下段のコインだけが、上記したようにコイン出口から送出され、他のコインは回転ディスクの回転方向に沿って突出する顎部によって押され環状容器内部へ戻される。環状容器内部に戻されたコインは、ホッパー内にある他のコインに混ざり上記手順により送出され、または再び戻された後に送出される。このような顎部の働きにより、コイン出口で重なったコインの噛みこみが防止される。したがって、コイン受け孔が受け入れられる最大径（最大厚み）のコインを送出可能な回転ディスクを用意しておけば、その回転ディスクを最大径のコインよりも小さな（薄い厚み）コインにも使用することができる。つまり、単一の回転ディスクを、複数の異径コイン送出のために用いることが可能になる。その結果、あるコイン（たとえば、５００円硬貨）用のコイン送出装置を、他のコイン（たとえば、１００円硬貨やそれ以外の硬貨）用にそのまま使用することができる。また、たとえば、５００円硬貨から１円硬貨までの硬貨が混在する異径コイン群の送出のためにも使用することができる。
【００１０】
（請求項２の発明の特徴）
請求項２記載のコイン送出装置は、請求項１記載のコイン送出装置であって、前記顎部の前記基板側の面と当該基板上面との間が、コイン１枚が通過可能な寸法に形成してある。
【００１１】
請求項２記載のコイン送出装置によれば、請求項１記載のコイン送出装置の作用効果が、基板上面上に載置したコインが顎部と基板との間を通過し、そのコインの上に載った他のコインが顎部により押されることにより具体的に実現する。
【００１２】
（請求項３の発明の特徴）
請求項３記載のコイン送出装置は、請求項１または２記載のコイン送出装置であって、前記顎部が、前記回転ディスクの回転方向に向かって先細りする楔形状に形成してある。
【００１３】
請求項３記載のコイン送出装置によれば、請求項１または２記載のコイン送出装置の作用効果が、顎部先端が先細り形状になっているので、上に載った他のコインの円形周縁に当接して当該コインを効率よく環状容器内に押し入れるので、効率よく実現できる。顎部の形状を楔形形状に限定する趣旨ではないが、そのような形状に形成することにより上記した他のコインの押し入れを効率よく行うことができる。
【００１４】
（請求項４の発明の特徴）
請求項４記載の回転ディスクは、請求項１ないし３に記載したコイン送出装置に使用可能な回転ディスクである。
【００１５】
請求項４の回転ディスクによれば、これを請求項１乃至３記載のコイン送出装置に使用することができ、使用することによりコイン出口で重なったコインの噛みこみが防止されるので、複数の異径コイン送出のために用いることが可能になる。
【００１６】
【発明の実施の形態】
次に、各図を参照しながら、本発明の実施の形態について説明する。図１は、コイン送出装置の斜視図である。図２は、図１に示すコイン送出装置のホッパーを省略した平面図である。図３は、回転ディスクの平面図である。図４は、図３に示す回転ディスクのＹ−Ｙ断面図である。図５は、回転ディスクの斜視図である。図６は、回転ディスクの底面図である。図７は、回転ディスクの裏側から見た斜視図である。図８及び９は、回転ディスクの作用を説明するための平面図である。図１０は、図２に示す回転ディスクのＸ−Ｘ断面図である。
【００１７】
（コイン送出装置の概略構造）
図１および２に基づいて説明する。符合１は、コイン送出装置を示している。コイン送出装置１は、基台２と環状容器７とホッパー１３とにより概ね構成してある。基台２は、金属板の両端を屈曲して断面を下向きのほぼコの字状に形成したものであり、その上面が基板３を構成している。基板３は、これをほぼ水平に配してあるが、用途に応じて傾斜させてもよい。環状容器７は、円筒形の容器であり、その下端には基板３の上面上に載置したコインが、その姿勢のまま滑走通過可能なスリット状のコイン出口１１を設けてある。環状容器７には、内周面全域に渡って僅かに突出する環状突起８と、外周面下端から水平方向に突出するフランジ部１０，・・と、厚み方向に貫通するＬ字切欠９，９と、を設けてある。環状突起８の作用については、後述する。フランジ部１０を設けたのは、環状容器７全体を基板３の上に着脱自在にネジ固定するためである。環状容器７内には、この環状容器７と同心的に回転可能な回転ディスク２１を設けてある。回転ディスク２１については、後述する。符合１９は、回転ディスクを回転させるためのギヤボックスを示している。符合１２は、コイン出口１１から送出されたコインを計数するためのセンサを示している。
【００１８】
（規制部材の構造）
図２に基づいて説明する。符合４は第１規制部材を示し、符号５は第２規制部材を示している。第１規制部材４は、第１当接ピン４ａと乗上ピン４ｂと板バネ４ｃとから構成してある。第１当接ピン４ａは、回転ディスク２１の回転（図２の反時計回り方向）に伴い送られてきたコインと当接して、そのコインをコイン出口１１の方向（図２の右方向）へ方向転換させる役割を担っている。本実施形態における第１当接ピン４ａは、ほぼ円柱形状に形成してあるが、他の形状に形成しても構わない。乗上ピン４ｂは、回転ディスク２１を逆転させたとき、すなわち、時計回り方向に回転させたときに送られてきたコインが上に乗りあがりやすいように頂部を円錐状に形成してある。乗りあがりやすくしておけば、乗りあがることにより乗上ピン４ｂに過大な付加をかけたり、乗上ピン４ｂに当接して身動きが取れなくなったりすることを有効に防止できるからである。乗上ピン４ｂの形状は、これを円錐状とせずに単に斜辺を持つ三角形状としてもよいし、不用であれば乗上ピン４ｂ自体を省略してもよい。省略する場合は、第１当接ピン４ａ自体を、乗上ピン４ｂと同じ作用を奏するような形状に形成することが好ましい。板バネ４ｃは、基板３の裏面に固定してあり、第１当接ピン４ａと乗上ピン４ｂとを下方から弾性的に支持する働きを担っている。第１当接ピン４ａと乗上ピン４ｂは、基板３に貫通形成した第１貫通孔３ａを介して基板３の上面から出没自在の状態で突出させてある。具体的には、何れか一方又は両方のピンに板バネ４ｃの弾性力を超える外力が加えられたときに、その外力をかわすために板バネ４ｃの弾性変形を利用して第１当接ピン４ａと乗上ピン４ｂとを基板３上面から退出させるとともに、外力が去った後に突出位置に復帰させるためである。このような外力は、不自然な状態で重なり合ったコインが回転ディスク２１の回転に伴い発生する場合がほとんどである。そのような外力が発生したときに、第１当接ピン４ａや乗上ピン４ｂが基板３上から退出せずに居座ってしまうとコインが噛みこんだり詰まったりするおそれがあるので、そのようなおそれをなくすために第１当接ピン４ａと乗上ピン４ｂとを弾性的に出没自在に構成したのである。
【００１９】
第２規制部材５は、第２当接ピン５ａと、それを下方から弾性的に支持する板バネ５ｂとから構成してある。第２当接ピン５ａは基板３に貫通形成した貫通孔３ｂを介して基板３の上面から出没自在の状態で突出している。第２当接ピン５ａの形状は、第１当接ピン４ａの形状とほぼ同じに構成してある。これは、第２当接ピン５ａも第１当接ピン４ａと同様に、コインと当接してそのコインをコイン出口１１方向へ転換させるためである。板バネ５ｂの作用も、板バネ４ｃのそれと同じである。第２規制部材５を設けたのは、コイン送出装置１が大径コインを送出するだけであれば第１規制部材４だけで足りるのであるが、大径コインとともに、または、これに代えて小径コイン或いは大径コインと小径コインの間の径を持つ中径コインの方向転換を図るために有益だからである。仮に、第１規制部材４だけしか設けていないとすると、小径コインや中径コインが回転ディスク２１の中心よりを移動してきた場合にコイン出口１１方向へ転換せずにその方向とは異なる方向に転換してしまうと、コイン詰まりの原因となりかねないから、それを防ぐために第２規制部材５を設けたのである。第１規制部材４の形状や形態を変更することにより、この第１規制部材４に第２規制部材５の機能を兼ね備えさせ、併せて第２規制部材５を省略しても構わない。
【００２０】
（ホッパーの構造）
図１に示すホッパー１３は、コインをバラ状態で収納可能に構成してあり、その下端の連結部１５は、環状容器７に嵌め込み可能な円筒形状に形成してある。連結部１５の外面には、ロック片１７，１７を突出させてある。これらのロック片１７，１７を環状容器７のＬ字切欠９に差し込み水平方向に僅かに回転させることにより、ホッパー１３を環状容器７にロックできるように構成してある。図１には、ロック片が１個しか示していないのは、他の１個が図１の裏側に位置するため見えないからである。ホッパー１３は、これを金属製とすることもできるが、本実施形態では透明な合成樹脂製としてある。透明であれば、収容したコインの状態を外から見ることができて便利だからである。
【００２１】
（回転ディスクの構造）
図２ないし７を参照しながら説明する。回転ディスク２１は、コインの厚みより厚い厚み、好ましくはコイン数枚分程度の厚みを持っており、外周に向って開口する複数のコイン受け孔２３，・・を厚み方向に貫通形成してある。各コイン受け孔２３は、変形した円形の形をしており、送出しようとする最大径のコインを収容可能な大きさに、すなわち、収容したコインを基板３の上に載置できる大きさに形成してある。各コイン受け孔２３の開口寸法は、最大径のコインが通過可能な寸法に設定してあり、コインの送出は、この開口を介して行われるようになっている。本実施形態におけるコイン受け孔２３の数は４個としたが、これに限る必要はなく、３個以下でも５個以上でもよい。回転ディスク２１には、回転ディスク２１の回転方向に沿って各コイン受け孔２３内に突出する顎部２５を形成してある。顎部２５は、回転方向に向って先細りする楔形状に形成することが好ましい。これは、コインと環状容器７の内壁面との間にできるＶ（ブイ）ゾーンＶｚ（図２参照）の中に顎部２５を入りやすくするため、さらに、ＶゾーンＶｚの中に入った後に上に乗ったコイン（後述）を環状容器７の内側方向に、その傾斜を利用して押し入れさせるためである。各コイン受け孔２３の周りには、顎部２５も含めて孔内部に向かって下る傾斜面２４を設けてある。この傾斜は、各コイン受け孔２３内にコインが自然な姿勢で滑りこみやすくするためである。
【００２２】
回転ディスク２１の下端周縁全域には、薄肉フランジ部２７を形成してある。薄肉フランジ部２７は、先に説明した環状容器７の環状突起８に対応するものであって、基板３上に取り付けたときに環状突起８の下に位置して回転による回転ディスク２１の浮き上がりやブレ等を防止する働きを担っている。回転ディスク２１の裏側、つまり、取り付けたときに基板３と対向する側には、回避溝２９（第１回避溝２９ａ、第２回避溝２９ｂ）を形成してある。第１回避溝２９ａは第１規制部材４との接触を回避するための溝、換言すると基板３から突出する第１規制部材４と接触せずに回転ディスク２１の回転を許容するための溝である。これと同様に第２回避溝２９ｂは、第２規制部材５との接触を回避するための溝である。第１回避溝２９ａ及び第２回避溝２９ｂは、それぞれ第１規制部材４及び第２規制部材５との接触を回避するために充分な幅寸法及び深さ寸法を有しており、それぞれの中心を通る中心線を結んだと仮定すると回転ディスク２１の中心を中心とする円を構成するように形成してある。
【００２３】
顎部２５を構成する部分は、他の部分よりも薄くなるようにその裏側をコイン１枚が通り抜けられるだけの厚み分を削り取ってある（図７参照）。その理由については、後述する。なお、顎部２５の部分を薄くする方法は、上述した削り取り以外の方法を採用できることは言うまでもない。さらに、本実施形態では、顎部２５と回転ディスク２１とを一体に構成してあるが、前者と後者とを別々にしておき両者を結合可能に構成してもよい。回転ディスク２１の取り付けは、その中央部に形成したボス部２６を貫通するＤ字孔２６ｈを、ギヤボックス１９（図１参照）から基板３を貫通して突き出るＤ字回転軸２０（図２参照）に嵌め込むだけで行えるようになっている。嵌め込みだけで足りるのは、回転ディスク２１にはコインの重みが加わることに加え、前述したように、回転ディスク２１の薄肉フランジ部２７が、環状容器７の環状突起８の下に位置して回転による回転ディスク２１の浮き上がりを防止するからである。なお、回避溝２９を形成する方法には、回避溝２９を切削や成形等により形成するのが一般的であるが、回避溝２９を形成する代わりに回避溝２９の両側を何らかの方法により隆起させることにより結果的に回避溝２９を形成する方法もある。
【００２４】
（本実施形態の作用効果）
主として図８及び９を参照し、図１及び２を参考にしながら、本実施形態の作用効果について説明する。まず、図１及び２に示すように、バラ状態でホッパー１３に収納されたコインＣが、環状容器７内の回転ディスク２１上に供給される。各図に示すコインＣ（Ｃ１，Ｃ２，・・）は、１円硬貨であるが、他の種類の硬貨であってもよいし、各種の硬貨やコインが混在したものであってもよい。回転ディスク２１上に供給されたコインＣは、回転ディスク２１の回転により攪拌され均され、さらに、傾斜面２４の傾斜に促されてコイン受け孔２３，・・に受け入れられる。受け入れられたコインＣのうち最下段にあるコインＣ１が基板３の上面上に横向きに載る。この間も回転ディスク２１は回転しており、その回転は、ギヤボックス１９の働きによる。
【００２５】
次に、図８ないし１０に基づいて説明を続ける。図８及び９では、（ａ）から（ｊ）まで、コインが移動する様子をアルファベット順に時系列的に示している。そして、図８はコインが送出された状態を、図９はコインが一枚も送出されない状態を、それぞれ示している。図８に示すように基板３の上面上に載ったコインＣ１は、回転ディスク２１の回転に伴い基板３の上面上を滑走移動する。第１規制部材４及び／又は第２規制部材５（図２参照）は、移動してきた最下段のコインＣ１と当接して、そのコインＣ１をコイン出口１１の方向に方向転換させる。方向転換したコインＣ１は、回転ディスク２１のさらなる回転によりコイン出口１１の方向に進み、やがて、コイン受け孔２３の開口を抜けて外部へ送出される。送出されたコインＣ１は、センサ１２により計数される。第１回避溝２９ａが第１規制部材４との接触を、第２回避溝２９ｂが第２規制部材５との接触を回避するので、回転ディスク２１の回転が第１規制部材４や第２規制部材５に邪魔されることはない。
【００２６】
他方、最下段のコインＣ１の上に載った他のコインＣ２がある場合は、最下段のコインＣ１だけが、上記したようにコイン出口１１から送出され、他のコインＣ２は回転ディスク２１の回転方向に沿って突出する顎部２５の楔効果によって押され環状容器７の内部へ戻される。顎部２５がコインＣ１を押さないで済むのは、前述したように、顎部２５の裏側をコイン１枚が通り抜けられるだけの厚み分を削り取ってあるからである。つまり、削り取った部分はコインＣ１の通過を許すが、コインＣ１の上に載ったコインＣ２、或いは、コインＣ２の上にさらに載ったコイン（図示を省略）がある場合はそれらのコインには顎部２５が衝突して通過を許さない。コインＣ２やその上にあるコインは顎部２５の衝突を受けて環状容器７内部に戻されることになる。すなわち、図１０の紙面裏側から表側に向って移動する顎部２５により、２点鎖線で示す状態にあったコインＣ２が押されて実線で示す状態になる。実線で示す状態のコインＣ１は、顎部２５のさらなる移動により環状容器７の内部に戻される。したがって、コインＣ１とコインＣ２とが重なった状態でコイン出口１１内に噛みこむことがない。
【００２７】
環状容器７の内部に戻されたコインＣ２等は、ホッパー１３（環状容器７）内にある他のコインに混ざり上記手順により送出され、または再び戻された後に送出される。このような顎部２５の働きにより、コイン出口１１で重なったコインの噛みこみが防止される。したがって、コイン受け孔２３が受け入れられる最大径（最大厚み）のコインを送出可能な回転ディスクを用意しておけば、その回転ディスクを最大径のコインよりも小さな（薄い厚み）コインにも使用することができる。つまり、単一の回転ディスクを、複数の異径コイン各々の送出のために用いることが可能になる。同じく、混在する複数の異径コインを同時期に送出するために使用することもできる。なお、図９に示すように、コインＣ１が、送出されずに、その上のコインＣ２とともに回転ディスク２１の回転によって環状容器７内に戻される場合もある。送出されないのは、何らかの理由によりコインＣ１が浮いてしまい第１規制部材４や第２規制部材５と正常に当接しなかった等の原因が考えられるが、そのような場合のコインは、ホッパー１３（環状容器７）内にある他のコインに混ざり上記手順により送出され、または再び戻された後に送出される。
【００２８】
【発明の効果】
本発明によれば、コイン出口付近におけるコイン同士の噛み込みを有効防止することができるので、単一の回転ディスクにより、複数の異径コインを送出可能とすることができる。
【図面の簡単な説明】
【図１】コイン送出装置の斜視図である。
【図２】図１に示すコイン送出装置のホッパーを省略した平面図である。
【図３】回転ディスクの平面図である。
【図４】図３に示す回転ディスクのＹ−Ｙ断面図である。
【図５】回転ディスクの斜視図である。
【図６】回転ディスクの底面図である。
【図７】回転ディスクの裏側から見た斜視図である。
【図８】回転ディスクの作用を説明するための平面図である。
【図９】回転ディスクの作用を説明するための平面図である。
【図１０】図２に示す回転ディスクのＸ−Ｘ断面図である。
【図１１】従来のコイン送出装置の斜視図である。
【図１２】図１０に示すコイン送出装置の平面図である。
【図１３】図１０に示すコイン送出装置の平面図である。
【図１４】従来のコイン送出装置に改良を加えたものの斜視図及び縦断面図である。
【符号の説明】
１      コイン送出装置
２      基台
３      基板
４      第１規制部材
５      第２規制部材
７      環状容器
８      環状突起
９      Ｌ字切欠
１０      フランジ部
１１      コイン出口
１２      センサ
１３      ホッパー
１５      連結部
１７      ロック片
１９      ギヤボックス
２０      Ｄ字回転軸
２１      回転ディスク
２３      コイン受け孔
２４      傾斜面
２５      顎部
２６      ボス部
２７      薄肉フランジ部
２９      回壁溝
１０１      従来装置
１０２      ホッパー
１０３      基板
１０４      環状容器
１０５      回転ディスク
１０６      コイン受け孔
１０７      規制部材
１０８      コイン出口
【図１】
2004280770.tif 000003
【図２】
2004280770.tif 000004
【図３】
2004280770.tif 000005
【図４】
2004280770.tif 000006
【図５】
2004280770.tif 000007
【図６】
2004280770.tif 000008
【図７】
2004280770.tif 000009
【図８】
2004280770.tif 000010
【図９】
2004280770.tif 000011
【図１０】
2004280770.tif 000012
【図１１】
2004280770.tif 000013
【図１２】
2004280770.tif 000014
【図１３】
2004280770.tif 000015
【図１４】
2004280770.tif 000016